(57)【特許請求の範囲】
【請求項１】
キャビテーション減少ねじれ舵である全釣合い舵を備えて、舵ブレードに設定され、駆動可能な軸（ＰＡ）に配置されたプロペラ（１１５）を備える舵ブレード（１００）と舵ブレード（１００）と連結された舵ポスト（１４０）とから成る高速船舶用の舵において、この舵（２００）は、
ａ）薄い輪郭厚さを備える細長い輪郭を有する釣合い舵ブレード（１００）から成り、その舵ブレードが二つの重なった舵ブレード部分（１０、２０）から成り、およそ半円形輪郭を有してプロペラ（１１５）に向合う先ストリップ（１１、２１）から成り、先ストリップは一方の先ストリップ（１１）が左舷（ＢＢ）或いは右舷（ＳＢ）に片寄って且つ他方の先ストリップ（２１）が舵ブレード（１００）の縦中心線（ＬＭＬ）に関して右舷（ＳＢ）或いは左舷（ＢＢ）に横方向に片寄っているような形式に位置されていて、横方向に片寄った先ストリップ部分を通って引かれた中心線（Ｍ２）が前記縦中心線（ＬＭＬ）に対して少なくとも３°の角度αに延びているようになっていて、二つの舵ブレード部分（１０、２０）の側壁面（１２、１３；２２、２３）がプロペラ（１１５）から背いた後ストリップ（１５）に収斂しており、左舷（ＢＢ）と右舷（ＳＢ）に配置された上下舵ブレード部分（１０、２０）の単調にアーチ形に彎曲された側壁部分（１８、２８）が右舷（ＳＢ）と左舷（ＢＢ）に配置された上下舵ブレード部分（１０、２０）の強力にアーチ形に彎曲された側壁部分（１９、２９）の長さ（Ｌ３）と比較されてより短い長さ（Ｌ２）を有しており、
ａ１）二つの先ストリップ（１１、２１）と後ストリップ（１５）が舵ブレード（１００）の上領域（ＯＢ）から下領域（ＵＢ）までの横断面領域（３０）の減少によって起こった円錐状先細形式に下方へ延びているか、或いは
ａ２）後ストリップ（１５）が直線状且つ舵ポスト（１４０）と平行に延びていて、二つの先ストリップ（１１、２１）が上領域（ＯＢ）から下領域（ＵＢ）までの横断面領域（３０）の減少によって起こった円錐状先細形式に下方へ延びていており、
ａ３）舵ブレード（１００）の後ストリップ（１５）と最大輪郭厚さ（ＰＤ）の間の領域にて上舵ブレード部分（１０）と下舵ブレード部分（２０）の横断面部分（３１）が長さ（Ｌ）を有し、その長さが舵ブレード（１００）の最大輪郭厚さ（ＰＤ）と先ストリップ（１１、２１）の間の上舵ブレード部分（１０）と下舵ブレード部分（２０）の横断面部分（３２）の長さ（Ｌ１）の少なくとも１・１／２倍に一致しており、
ａ４）左舷（ＢＢ）の上舵ブレード部分（１０）と右舷（ＳＢ）の下舵ブレード部分（２０）の各々が平らなアーチ形形式に延びて且つ先ストリップ（１１、２１）から後ストリップ（１５）の方向に延びている側壁部分（１８、２８）から成り、長さ（Ｌ２）を有し、その長さが最大輪郭厚さ（ＰＤ）＋長さ（Ｌ’２）の少なくとも１／３に一致する長さ（Ｌ”２）である限り先ストリップ（１１、２１）から側壁部分（１８）の長さ（Ｌ’２）にわたり延びていて、平らなアーチ形形式に延びている側壁部分（１８、２８）が後ストリップ（１５）へ延びる直線状延長側壁部分（１６、２６）により結合されていて、  ａ５）左舷（ＢＢ）の上舵ブレード部分（１０）と右舷（ＳＢ）の下舵ブレード部分（２０）の各々がアーチ形形式に延びて且つ先ストリップ（１１、２１）から後ストリップ（１５）の方向に延びているかなり彎曲された側壁部分（１９、２９）から成り、長さ（Ｌ３）を有し、その長さが最大輪郭厚さ（ＰＤ）＋長さ（Ｌ’３）の少なくとも１／３に一致する長さ（Ｌ”３）である限り先ストリップ（１１、２１）から側壁部分（１９）の長さ（Ｌ’３）にわたり延びていて、平らなアーチ形形式に延びているかなり彎曲された側壁部分（１９；２９）は後ストリップ（１５）へ延びる直線状延長側壁部分（１７、２７）により結合されていて、
ａ６）直線状延長側壁部分（１６；１７；２６、２７）が対で同じ高さを有し、二つの側壁部分（１６；１７；２６、２７）間に配置された横断面部分が同じ寸法であり、対称的に構成されていて、
ａ７）縦中心線（ＬＭＬ）から平らなアーチ形形式に延びる側壁部分（１８；２８）の間の距離が縦中心線（ＬＭＬ）からかなりアーチ形に延びる側壁部分（１９；２９）の間の距離より大きく、縦中心線（ＬＭＬ）の両側面にてアーチ形形式に延びる二つの側壁部分（１８；２８）の間に配置された横断面部分が非対称的に構成されていることを特徴とする舵。
【請求項２】
舵ブレード部分（１０、２０）は、上舵ブレード部分（１０）の高さと比較されて低い高さを有する下舵ブレード部分（２０）から成ることを特徴とする請求項１に記載の舵。
【請求項３】
そらせ板（２００、２０１）が先ストリップ（１１、２１）の作動輪郭により形成された流れ体を形成し且つ片寄り領域をカバーし、流れに沿って彎曲されて舵ブレードの外壁に適合された、細長い或いは半球状の輪郭を有し、二つの重なった舵ブレード部分（１０、２０）の二つの横方向に片寄った部分の遷移領域に配置されていて、一方のそらせ板（２００）が上舵ブレード部分（１０）の先ストリップ（１１）からその側壁へ延びて且つ他方のそらせ板（２０１）が下舵ブレード部分（２０）の先ストリップ（２１）からその側壁へ延びていることを特徴とする請求項１或いは２に記載の舵。
【請求項４】
舵ブレード（１００）が少なくとも一つの軸受を有する舵ポスト（１４０）と機能的に共働し、
ｂ）舵ポスト（１４０）が前記ポストを受けて舵パイプ（１２０）を備えて、最大輪郭厚さ（ＰＤ）の領域或いはこれと上舵ブレード部分（１０）の先ストリップの間に配列され且つその後固定装置（１４５）により上舵ブレード部分（１０）の全高さにわたり延びていて、
ｂ１）片持ちレバーとして上舵ブレード部分（１０）へ深く引き込まれている舵ポスト（１４０）用の舵パイプ（１２０）が舵ポスト（１４０）を受ける中央内部縦孔（１２５）を備えていて、
ｂ２）舵パイプ横断面が薄い壁として設計されて、舵パイプ（１２０）が舵ポスト（１４０）を据え付けるために自由端の領域における内壁側にカラー軸受（１３０）を有し、
ｂ３）その端領域（１４０ｂ）では、舵ポスト（１４０）が部分（１４０ａ）を備える舵パイプ（１２０）から外へ案内され、この部分（１４０ａ）の端が上舵ブレード部分（１０）に連結されていることを特徴とする請求項１乃至３のいずれか一項に記載の舵。
【請求項５】
固定板（４５）が上舵ブレード部分（１０）と下舵ブレード部分（２０）との間に置かれ、舵ブレード部分（１０、２０）としっかりと連結され、固定板（４５）が縦中心線（ＬＭＬ）の両側における対称的横断面部分（４６、４７）、上舵ブレード部分（１０）のベース板（４２）と下舵ブレード部分（２０）のカバー板（４１）を包含する輪郭と寸法を有することを特徴とする請求項１乃至４のいずれか一項に記載の舵。
【請求項６】
上下舵ブレード部分（１０、２０）の強力にアーチ形に彎曲された側壁部分（１９、２９）の湾曲長さ（ＢＬ１）が上下舵ブレード部分（１０、２０）の単調にアーチ形に彎曲された側壁部分（１８、２８）の湾曲長さ（ＢＬ）よりかなり大きいので、上下舵ブレード部分（１０、２０）の強力にアーチ形に彎曲された側壁部分（１９、２９）の遷移領域（ＵＢ１）が後ストリップ（１５）に直線に延びる側壁部分（１７、２７）に片寄っていて、上下舵ブレード部分（１０、２０）の平らにアーチ形に彎曲された側壁部分（１８、２８）の遷移領域（ＵＢ）が後ストリップの方向において後ストリップ（１５）に直線に延びる側壁部分（１６、２６）に片寄っていることを特徴とする請求項１乃至５のいずれか一項に記載の舵。
【請求項７】
舵パイプ（１２０）を受ける上舵ブレード部分（１０）における隙間（１０５）或いは穴の直径が上舵ブレード部分（１０）の最大輪郭厚さ（ＰＤ）と比較されて僅かに小さいことを特徴とする請求項１乃至６のいずれか一項に記載の舵。
【請求項８】
プロペラ（１１５）に向合う舵ブレード（１００）の縁或いは先ストリップ（１１、２１）がプロペラ（１１５）から背いた縁或いは後ストリップ（１５）に対して少なくとも５°の角度βに傾斜していることを特徴とする請求項１乃至７のいずれか一項に記載の舵。
【請求項９】
そらせ板（２００、２０１）が二つの重なって配列された舵ブレード部分（１０、２０）の二つの横方向に片寄った部分（Ａ１，Ａ２）の遷移領域に配列されて且つ先ストリップ（１１、２１）の彎曲コースに一致して形成されていて、そのそらせ板が彎曲した細長い輪郭を有し、二つのそらせ板（２００、２０１）の各々が先ストリップの領域に於ける先ストリップ（１１、２１）に向いた部分（２００ｂ、２０１ｂ）を備えて横たわり、先ストリップの一体成分であり、ストリップ状部分（２００ｃ、２０１ｃ）を備えていて、舵の側壁に当接するか、或いは一体化され、先ストリップ（１１、２１）の領域に横たわる二つのそらせ板（２００、２０１）の部分（２００ｂ、２０１ｂ）がカップ状構成（２００ａ，２０１ａ）を有し、上舵ブレード部分（１０）の左舷側壁がそらせ板（２００）を有し且つ下舵ブレード部分（２０）の右舷側壁がそらせ板（２０１）を有し、そらせ板（２００、２０１）が上舵ブレード部分（１０）と下舵ブレード部分（２０）の遷移領域に配置されていて、ストリップ状部分（２００ｃ、２０１ｃ）が舵ブレードの側壁に横たわり且つ遷移領域をカバーし、プロペラ（１１５）に向いているそらせ板（２００、２０１）の部分（２００ｂ、２０１ｂ）が先ストリップ（１１、２１）の領域に横たわることを特徴とする請求項１乃至８のいずれか一項に記載の舵。
【発明の詳細な説明】
【技術分野】
【０００１】
この発明は、請求項１の上位概念によるキャビテーション減少ねじれ、特に釣合い舵から成る高速船舶用の舵に関する。
【背景技術】
【０００２】
リンクしたフィンを備えるか、或いは備えない釣合い舵或いは釣合い輪郭のような船舶の舵が種々の実施例にて知られている。さらに、二つの重なった舵ブレード部分から成るねじれ舵ブレードを有する船舶用舵も知られていて、プロペラに向合う先ストリップは、一方の先ストリップが左舷に片寄って且つ他方の先ストリップが右舷に片寄っているような形式に横方向に片寄っている。
【０００３】
特開昭５８−３０８９６号公報（特許文献１）は上部品と下部品とから成るねじれ舵ブレードを備える船舶用の舵を記載し、両部品は先縁に関する両部品の領域のみが横方向に片寄っているような形式でプロペラに向けられたそれらの方向にねじれ、後縁にまで延びる領域が同じ横断面形状と同じ横断面寸法とを有する。
【０００４】
英国特許第３３２０８２号明細書（特許文献２）はまたプロペラに向けられる舵ブレードの輪郭領域、即ち先縁が横方向に露出されて、それにより先縁が円錐状に先細に構成されるねじれ舵ブレードを備える船舶用の舵を開示する。二つの舵ブレード部分の横断面形状は、二つの舵ブレード部分の左舷と右舷に配置された側壁面が横方向に曲げられた先縁にまでアーチ形直線なしであるような形式で構成されるので、側壁面が異なった曲げ半径により外方にアーチ形にされる任意の領域を有しない。これに加えて、舵ブレードの輪郭構成であるので、二つの重なった舵ブレード部分の二つの横断面が同じ寸法を有し、舵ブレードの全高さにわたり延びている。円錐状の先細先縁により鋭い縁切欠きがキャビテーションと破壊を受けるように構成される。推力の改良がこの舵の輪郭構成により達成されるべきである。
【０００５】
最近の船舶の速度がいつも増加している。より速い速度に関連した迅速流速によって、プロペラや舵における応力がより高くなる。公知の舵ブレードの対称性はキャビテーションとそれで侵食を生じる舵ブレードに負圧領域を生じる。キャビテーションは舵ブレードの流れが極端に加速される複数の点で発生される。これは、プロペラの強い回転流が速度で舵ブレード面に衝突することを生じる。この強い加速によって、静圧が水の蒸気圧下に降下するので、蒸気気泡が突然に内破するように展開する。これら内破は高価な修繕を生じる舵ブレード面の破壊を生じて、頻繁に新たな舵ブレードが使用されなければならない。
【先行技術文献】
【特許文献】
【０００６】
【特許文献１】特開昭５８−３０８９６号公報
【特許文献２】英国特許第３３２０８２号明細書
【発明の概要】
【発明が解決しようとする課題】
【０００７】
この発明の目的は、キャビテーション発生による舵ブレードの侵食結果が特に高く負荷されたプロペラを有する高速船舶に使用されるときに回避され得る、大きいや非常に大きい寸法を有する船舶用舵、特にねじれ舵先縁を有する釣合い舵ブレードを提供することである。さらに、非常に高流れ速度を有するプロペラ流によって発生された低領域において舵ブレードに作用する力が阻止されていて、舵ブレードが舵ポストの軸受に生じる任意の損傷なしに釣合される。
【課題を解決するための手段】
【０００８】
この目的は、請求項１に特定された特徴を有する最初に記載されたタイプによる舵によって達成される。
【０００９】
これによると、この発明の舵は、
ａ）薄い輪郭厚さを備える細長い輪郭を有する釣合い舵ブレードから成り、同じ高さ或いは異なった高さを有する二つの重なった舵ブレード部分から成り、好ましくは上舵ブレード部分の高さと比較されて低い高さを有する下舵ブレード部分から成り、およそ半円形輪郭を有してプロペラに向合う先ストリップから成り、先ストリップは一方の先ストリップが左舷ＢＢ或いは右舷ＳＢに片寄って且つ他方の先ストリップが舵ブレードの縦中心線ＬＭＬに関して右舷ＳＢ或いは左舷ＢＢに横方向に片寄っているような形式に位置されていて、二つの舵ブレード部分の側壁面がプロペラから背いた後ストリップに収斂しており、
ａ１）二つの先ストリップと後ストリップが舵ブレードの上領域ＯＢから下領域ＵＢまでの横断面領域の減少によって起こった円錐状先細形式に下方へ延びていて、
ａ２）或いは後ストリップが直線状且つ舵ポスト１４０と平行に延びていて、二つの先ストリップが舵ブレードの上領域ＯＢから下領域ＵＢまでの横断面領域の減少によって起こった円錐状先細形式に下方へ延びていて、
ａ３）舵ブレードの後ストリップと最大輪郭厚さＰＤの間の領域にて上舵ブレード部分と下舵ブレード部分の横断面部分が長さＬを有し、その長さＬが舵ブレードの最大輪郭厚さＰＤと終ストリップの間の上舵ブレード部分と下舵ブレード部分の横断面部分の長さＬ１の少なくとも１・１／２倍に一致しており、
ａ４）左舷ＢＢの上舵ブレード部分と右舷ＳＢの下舵ブレード部分の各々が平らなアーチ形形式に延びて且つ先ストリップから後ストリップの方向に延びている側壁部分から成り、長さＬ２を有し、その長さＬ２が最大輪郭厚さＰＤ＋長さＬ’２の少なくとも１／３に一致する長さＬ”２である限り先ストリップから側壁部分の長さＬ’２にわたり延びていて、平らなアーチ形形式に延びている側壁部分が後ストリップへ延びる直線状延長側壁部分により結合されていて、
ａ５）左舷ＢＢの上舵ブレード部分と右舷ＳＢの下舵ブレード部分の各々がアーチ形形式に延びて且つ先ストリップから後ストリップの方向に延びているかなり彎曲された側壁部分から成り、長さＬ３を有し、その長さＬ３が最大輪郭厚さＰＤ＋長さＬ’３の少なくとも１／３に一致する長さＬ”３である限り先ストリップから側壁部分の長さＬ’３にわたり延びていて、平らなアーチ形形式に延びているかなり彎曲された側壁部分は終ストリップへ延びる直線状延長側壁部分により結合されていて、
ａ６）直線状延長側壁部分が対で同じ高さを有し、二つの側壁部分間に配置された横断面部分が同じ寸法であり、対称的に構成されていて、
ａ７）縦中心線ＬＭＬから平らなアーチ形形式に延びる側壁部分が縦中心線ＬＭＬからかなりアーチ形に延びる側壁部分の間の距離より大きく、縦中心線ＬＭＬの両側面にてアーチ形形式に延びる二つの側壁部分の間に配置された横断面部分が非対称的に構成されていて、
ｂ）舵ポストが好ましくは最大輪郭厚さＰＤの領域に或いは上舵ブレード部分のこのストリップと先ストリップの間に配列されて且つ好ましくはその後固定装置により上舵ブレード部分の全高さにわたり延びていることを特徴とする舵。
【００１０】
驚いたことには、薄い輪郭厚さを有し、舵ブレードの上舵ブレード部分における最大輪郭厚さの領域にて舵ポストの据付けを有し、この発明による釣合い舵としてのねじれ舵ブレードの構成の結果として、下舵ブレード部分が狭い輪郭を得るので、舵ブレードに衝突するプロペラ流れの高速にもかかわらずに、この舵ブレードが最大寸法を有するときさえ、舵ブレードの釣合いが追加的消費力なしに可能であり、舵ブレード据付けとねじれ舵ブレードとの機能的共働の結果として達成されるが、しかし他の舵ブレード構成と舵ポスト据付けとにより達成され得ないことがわかっていた。
【００１１】
この発明は、ねじれ舵ブレードから成る舵を提供する。この舵は、驚るべきことに、大きいや極端に大きい釣合い舵を建造するためにわかった技術的解決策である。舵ポストを備える舵ブレードの上舵ブレード部分に深く引き込まれた舵パイプが上舵ブレード部分の下領域に一体化されたカラー軸受によって舵力を直接に船舶の船体へ案内する。力がねじれモーメントなしに片持ちレバー、即ち純粋な曲げ応力として導入される。結果として、舵パイプ横断面が比較的に薄い壁に設計され得る。舵パイプの下部分が舵ブレード、即ち上舵ブレード部分に収納されて、それで、舵ブレードの輪郭厚さにおいて直接影響を有する。細長い舵輪郭、即ち薄い輪郭厚さがエネルギー効率な舵ブレードを建造することできる、というのは、舵輪郭が厚くなれば厚いほど、更なる抵抗が加速された流れのプロペラ水に発生する。
【００１２】
舵の他の実質的利点は、舵ブレード、即ち上舵ブレード部分に一体化されて据え付けるこのタイプの結果として、全釣合い舵或いはスペード舵の構造が最初の回に形成でき、これがほとんど制限されない寸法に形成されることである。従来の舵が舵警報器或いは舵支持体により半均衡されている。そのような困難な機械的構造が決して前縁でねじれ得ない、というのは、固定舵警報器とこの警報器の周りに回転する舵ブレードが自由に成形できないからである。そのような半均衡舵のために起こる舵ブレード内部力とモーメントがこの発明による舵ポストの軸受を備える全釣合い舵のためにより不均等に大きい。舵ブレードのプロペラに向いた前縁の重要なねじれが著しく構造的に不経済な措置、即ち著しく厚い輪郭を意味する。
【００１３】
他の利点は、舵ポストの据付けによって構造的形状としての釣合い舵が最初に可能であり、隙間がもはや明白に必要とされた舵警報器と舵ブレードの間に存在しないことを意味することである。結果として、これら隙間を通る横断流が回避されて、この横断流に関係する厳しいキャビテーション侵食も回避される。
【００１４】
さらに、この発明による舵配列の実施例には、好ましくは鍛造鋼から成る舵パイプが舵ブレード、即ち上舵ブレード部分まで、一つの下カラー軸受により延びている。同様にハブとして鍛造片を備える舵パイプが舵に流体動的中心に接近して連結されていて、その結果、曲げモーメントによる僅かな負荷のみが達成される。重なった振動がこの構成によって除去され得る。
【００１５】
スリムな舵輪郭の結果として、それで、舵ブレードの低輪郭厚さにより、非常高速により低舵ブレード部分に衝突するプロペラ流出の高圧力に関して舵ポストの軸受の任意の特別な応力なしに舵ブレードを釣合わさせることができる。
【００１６】
舵ブレードにおけるキャビテーションを除去するために、上下半部に分割されるこの発明による輪郭を有し、流れが衝突する先縁或いは縁が或る角度にねじれられる。プロペラ追従流と船体中央との角度がねじれの角度を予め決定して、それにより輪郭前縁がねじれられる。この新たな輪郭の選択により、プロペラ乱流が舵ブレードに沿ってより良く流れ、キャビテーションを増加させる舵ブレードの輪郭面において任意の圧力ピークを発生しない。舵の周りの改良された流れが燃料の著しい経済と改良された運動性を生じる。
【００１７】
この発明の有益な実施例は、従属請求項の主題である。
【００１８】
この発明の他の有益な実施例は、舵ブレードのねじれ領域が閉鎖遷移を有することである。この目的のために、そらせ板が先ストリップの作動輪郭により形成された流れ体を形成させ、片寄り領域をカバーし、舵ブレードの外壁に適した流れ好ましい彎曲され且つ細長い或いは半球状輪郭を有し、このそらせ板は二つの重なった舵ブレード部分の二つの横方向に片寄り部分の遷移領域に配置されていて、一方のそらせ板が上舵ブレード部分の先ストリップから側壁まで延びていて、他方のそらせ板が下舵ブレード部分の先ストリップから側壁まで延びている。
【００１９】
二つの重なった舵ブレード部分の片寄り部分の遷移領域にてのそらせ板の配列によって、流れ好ましい輪郭が形成され、それによりこれら遷移領域に起こるキャビテーションを回避させる。流れ体の形式で構成された「そらせ板」はそれらが二つの先ストリップ間の遷移領域をカバーするような形式に構成されている。それ故に、そらせ板が片寄り領域に舵ブレードに当接して、これらをカバーするので、水が片寄り領域に沿う代わりにそらせ板に沿って流れる。それにより流れ乱流の危険が減少される。それによりそらせ板或いはその移動が上下舵ブレード部分の間の遷移領域の横方向架橋或いはカバーを形成する。「カバー」との用語は、この場合には、流れ体のそらせ板が大きく片寄り領域をカバーするような形式であると理解される。
【００２０】
この発明により構成されたねじれ舵ブレードを有する舵の場合には、流れ分離の危険が片寄り領域にのみ構成されるか、或いは配列されるそらせ板によって減少され得て、このそらせ板が片寄り面をカバーして流れ体に追加しており、同時に比較的小さい寸法によって流れ体状そらせ板が船舶の推進行動にて影響を有しない。それにより「推進中立効果」が形成される。
【００２１】
舵はさらに、舵ブレードと機能的に協働し、少なくとも一つの軸受を有する舵ポストから成り、特に鍛造鋼或いは他の適切な材料から形成された舵ポストが、特に鍛造鋼或いは他の適切な材料から形成された前記ポストを受ける舵パイプと一緒に、最大輪郭厚さＰＤの領域に或いは上舵ブレード部分のこのストリップと先ストリップの間に配列されていて、その後固定装置により上舵ブレード部分の全高さにわたり延びていて、片持ちレバーとして上舵ブレード部分へ深く引かれる舵ポストの舵パイプが舵ポストを受ける中央穴を備えていて、舵ポスト横断面が薄い壁として設計されて、舵パイプが舵ポストを据え付けるために自由端の領域にて内壁側にカラー軸受を有し、終領域にて舵ポストが一部を備える舵パイプから案内されて、この部分の終端が上舵ブレード部分に連結されている。
【００２２】
舵ポストの据付けとねじれ舵ブレードとの組合せにおける舵の他の利点は、高品質材料の使用である。高強度鍛造鋼が上舵ブレード部分に舵ポストの据付けにより使用され得て、実質的重量減少が生じて、即ち同じ性能を有する従来の舵の５０％にまで達成される。
【００２３】
それ故に、この発明は、固定板が上舵ブレード部分と下舵ブレード部分との間に置かれ、それが舵ブレード部分としっかりと連結され、固定板が縦中心線ＬＭＬの両側における対称的横断面、上舵ブレード部分のベース板と下舵ブレード部分のカバー板を包含する輪郭と寸法を有するような舵配列を提供する。
【００２４】
この発明の他の実施例は、横方向に片寄った先ストリップ部分を通って引かれた中心線Ｍ２が少なくとも３°から１０°までの角度αに延びていて、しかしながら、より大きい、好ましくは８°、フレームの横断面の縦中心線ＬＭＬに延びているような形式に、上舵ブレード部分の先ストリップと下舵ブレード部分の先ストリップが縦中心線ＬＭＬに関して左舷ＢＢと右舷ＳＢに横方向に片寄っていることを提供する。
【００２５】
さらに、この発明による構成は、左舷ＢＢと右舷ＳＢに配置された上下舵ブレード部分のアーチ形に彎曲された側壁部分が右舷ＳＢと左舷ＢＢに配置された上下舵ブレード部分の強力にアーチ形に彎曲された側壁部分の長さＬ５と比較されてより短い長さＬ４を有することから成るよう設けられている。
【００２６】
さらに、この発明は、上下舵ブレード部分の強力にアーチ形に彎曲された側壁部分の湾曲長さＢＬ１が上下舵ブレード部分の平らにアーチ形に彎曲された側壁部分の湾曲長さＢＬよりかなり大きいので、上下舵ブレード部分の強力にアーチ形に彎曲された側壁部分の遷移領域ＵＢ１が後ストリップに直線に延びる側壁部分に片寄っていて、上下舵ブレード部分の平らにアーチ形に彎曲された側壁部分の遷移領域ＵＢが後ストリップの方向において後ストリップに直線に延びる側壁部分に片寄っていることを提供する。
【図面の簡単な説明】
【００２７】
【図１】上下舵ブレード部分を有するねじれ全釣合い舵ブレードから成り且つ上舵ブレード部分に据え付けた舵ポストから成る舵配列の側面図を示す。
【図２】舵のねじれ舵ブレードの図式図を示す。
【図３】取り除いた外板と二つの舵ブレード部分の多数の板状フレームとを備えるねじれ舵ブレードの図式骨組表示を示す。
【図４】図３による舵ブレードの上舵ブレード部分の四つの板状フレームを示す。
【図４Ａ】図３による舵ブレードの上舵ブレード部分の四つの板状フレームを示す。
【図４Ｂ】図３による舵ブレードの上舵ブレード部分の四つの板状フレームを示す。
【図４Ｃ】図３による舵ブレードの上舵ブレード部分の四つの板状フレームを示す。
【図４Ｄ】図３による舵ブレードの下舵ブレード部分の板状フレームの拡大例示を示す。
【図４Ｅ】図３による舵ブレードの下舵ブレード部分の板状フレームを示す。
【図５】図４による板状フレームの拡大例示を示す。
【図６】フレームの縦中心線に対する側縁領域の距離の表示を備える図４による板状フレームの拡大例示を示す。
【図７】上舵ブレード部分と下舵ブレード部分に置かれた複数の板状フレームを備えるねじれ全釣合い舵ブレードの他の実施例の骨組表示を示す。
【図８】舵ポスト用のトランクチューブを受ける隙間を備える図７による舵ブレードの上舵ブレード部分の四つの板状フレームの上から見た拡大図を示す。
【図８Ａ】舵ポスト用のトランクチューブを受ける隙間を備える図７による舵ブレードの上舵ブレード部分の四つの板状フレームの上から見た拡大図を示す。
【図８Ｂ】舵ポスト用のトランクチューブを受ける隙間を備える図７による舵ブレードの上舵ブレード部分の四つの板状フレームの上から見た拡大図を示す。
【図８Ｃ】舵ポスト用のトランクチューブを受ける隙間を備える図７による舵ブレードの上舵ブレード部分の四つの板状フレームの上から見た拡大図を示す。
【図８Ｄ】図７による舵ブレードの下舵ブレード部分の三つの板状フレームの上から見た拡大図を示す。
【図８Ｅ】図７による舵ブレードの下舵ブレード部分の三つの板状フレームの上から見た拡大図を示す。
【図８Ｆ】図７による舵ブレードの下舵ブレード部分の三つの板状フレームの上から見た拡大図を示す。
【図９】舵ポスト用のトランクチューブを受ける開口を備える図７による舵ブレードの上舵ブレード部分のカバー板の上から見た拡大図を示す。
【図１０】図７による舵配列のねじれ舵ブレードの上から見た拡大図を示す。
【図１１】上舵ブレード部分の底板と下舵ブレード部分のカバー板との輪郭と寸法を包含する輪郭と寸法を備える図７による舵配列の上舵ブレード部分と下舵ブレード部分の間に置かれた固定板の上から見た拡大図を示す。
【図１２】ねじれ舵ブレードの前面図を示す。
【図１３】プロペラ側に傾斜的に延びる舵ブレード縁を備える舵ブレードの横方向図を示す。
【図１４】他の実施例の上舵ブレードのフレームの横断面輪郭の上から見た図を示す。
【図１５】舵ポスト用の上舵ブレード部分に置かれたトランクチューブを備える舵ポストの縦断面を示す。
【図１６】舵の二つの舵ブレード部分の片寄り領域における流れ体状案内板を備えるねじれ舵ブレードの下から見た図式図を示す。
【図１７】図１６による舵の側面図を示す。
【図１８】図１６による舵の後面図を示す。
【図１９】図１６による舵の図式前面図を示す。
【図２０】図１６による舵の図式側面図を示す。
【図２１】図１６による舵の図式前面図を示す。
【図２２】Ｓ状に配列された案内板を有する舵ブレードの先ストリップの前から見た図１６による舵の図を示す。
【図２３】図１６による舵の下から見た図を示す。
【図２４】舵の二つの舵ブレード部分の片寄り領域における半球状流れに追加する案内板を備えるねじれ舵ブレードの下から見た図式図を示す。
【発明を実施するための形態】
【００２８】
この発明の例示的実施例は、図面を参照してこれから後に説明される。
【００２９】
この発明による舵配列２００は、上領域に据え付けたねじれ舵ブレード１００と舵ポスト１４０（図１、２、３、７と１４）を有する二つの機能的共働成分、即ち好ましくは全釣合い舵から成る。
【００３０】
図１に表示された舵２００には、１１０が船舶の船体を示し、１２０が舵ポスト１４０を受けるトランクチューブを示し、１００が舵ブレードを示す。プロペラ１１５が舵ブレード１００に据え付けられる。プロペラ軸がＰＡによって示されている。
【００３１】
図１、２、３、７による舵ブレード１００は二つの重なって配列された舵ブレード部分１０、２０から成り、その先ストリップ１１、２１がプロペラ１１５に向いていて、上舵ブレード部分１０の先ストリップ１１が左舷ＢＢに、下舵ブレード部分２０の先ストリップ２１が右舷ＳＢに、舵ブレード１００の縦中心線ＬＭＬに対して横方向に片寄っている（図４、４Ａ，４Ｂと４Ｃ；４Ｄ、４Ｅと１３）ような形式に片寄っている。先ストリップ１１、２１の横方向片寄りは、上舵ブレード部分１０の先ストリップ１１が左舷ＢＢに片寄って、下舵ブレード部分２０の先ストリップ２１が右舷ＳＢに片寄っているように達成され得る。上舵ブレード部分１０の側壁面１２、１３と下舵ブレード部分２０の側壁面２２、２３の両方がプロペラ１１５から反対を向いた後ストリップ１５の方向においてアーク状に形成され、挿入された直線側壁部分１６、１７と２６、２７が後ストリップ１５に終わっている。両舵ブレード部分１０、２０が共通に後ストリップ１５を有し、各舵ブレード部分１０、２０が先ストリップ１１と２１有し、それによりねじれがその横方向変位の結果として達成される。
【００３２】
舵２００は好ましくは全釣合い舵から成り、しかしながら、異なって構成された舵はそれらがねじれ舵ブレードを備えているのに適している限り、使用され得て、この発明による舵ブレード構成の利点が達成される。重なって配置された両舵ブレード部分１０、２０が同じ高さ或いは不等な高さを有する。好ましくは、下舵ブレード部分２０が上舵ブレード部分より低い高さを有し、それにより上舵ブレード部分１０の高さが下舵ブレード部分２０の高さの１・１／２に一致する。二つの舵ブレード部分１０、２０の先縁１１、２１が彎曲された半円アーク状に構成されている。
【００３３】
舵ブレード１００は円錐状に下方へ延びる先ストリップ１１、２１を有し、後ストリップ１５が直線に且つ舵ポスト１４０と平行である（図１、２と３）。これは、二つの舵ブレード部分１０、２０の先ストリップ１１、２１の円錐状コースは、二つの舵ブレード部分１０、２０の横断面３０の寸法が上舵ブレード部分１０の同じ輪郭構成と下舵ブレード部分２０の同じ輪郭構成用の舵ブレード１００の上領域ＯＢから下領域ＵＢまで減少され得るので、下領域における低輪郭厚さを備える下方延長スリム輪郭が横断面３０の減少によって、特に二つの舵ブレード部分１０、２０の側壁面１２、１３と２２、２３のコースによって得られる。舵ブレード１００の低輪郭厚さがさらにこの発明の本質的特徴である。
【００３４】
図１３が舵ブレード１００の縁或いは先ストリップ１１、２１を示すように、先ストリップがプロペラ１１５に向いていて、プロペラ１１５と反対を向いた後ストリップ１５に対して少なくとも５°、好ましくは１０°の角度βに斜めである。
【００３５】
二つの二つの舵ブレード部分１０、２０の横断面部分３１，３２の長さＬ、Ｌ１は最大輪郭厚さＰＤの両側に異なって構成されている。舵ブレード１００の後ストリップ１５と最大輪郭厚さＰＤの間の領域における上舵ブレード部分１０と下舵ブレード部分２０の横断面部分３１が舵ブレード１００の大輪郭厚さＰＤと先ストリップ１１、２１の間の上舵ブレード部分１０と下舵ブレード部分２０の横断面部分３２の長さＬ１より大きい長さＬを有する。これは、長さ比が好ましくは長さＬ１に関して１・１／２である（図５）ことである。
【００３６】
舵ブレードの構成は、左舷ＢＢの上舵ブレード部分１０と右舷ＳＢの下舵ブレード部分２０がそれぞれに長さＬ２を備える後ストリップ１５の方向において先ストリップ１１、２１から延びるそれぞれに一つの平らに彎曲された側壁部分１８、２８を有し、その長さＬ２は長さＬ’２の少なくとも１／３に一致する長さＬ’２の加えて最大輪郭厚さＰＤに対して先縁１１、２１の側壁部分１８の長さＬ’２に一致し、それにより後ストリップ１５に終わる直線側壁部分１６が平らに彎曲された側壁部分２８に継続する（図５）。
【００３７】
さらに、上舵ブレード部分１０が右舷ＳＢに、下舵ブレード部分が左舷ＢＢにそれぞれに一つの長さＬ３を備える後ストリップ１５の方向において先ストリップ１１、２１から延びる強力にアーチ形に彎曲された側壁部分１９、２９を有し、長さＬ３が長さＬ’３の少なくとも１／３に一致する長さＬ’３に加えて、先ストリップ１１、２１から最大輪郭厚さＰＤまで側壁部分１９の長さＬ’３に一致する。後ストリップ１５に終わる直線側壁部分１７、２７が強力にアーチ形に彎曲された側壁部分１９、２９に継続する（図５、図４Ｄ）。
【００３８】
両舵ブレード部分１０、２０のこの構成の結果として、両側面の側壁部分が最大輪郭厚さＰＤの方向において先ストリップ１１、２１から且つ後ストリップ１５から下降コースを有する。
【００３９】
左舷ＢＢと右舷ＳＢに対して上舵ブレード部分１０の先ストリップ１１と下舵ブレード部分２０の後ストリップ２１が縦中心線ＬＭＬに関して横方向に片寄っているので、横方向に片寄った先縁部分を通して引かれた中心線Ｍ２がフレームの横断面の縦中心線ＬＭＬに関して少なくとも３°〜１０°の角度αに配置され、しかしながら、より高く、好ましくは８°の角度αに配置される。
【００４０】
さらに、舵２００は、舵ブレード１００と機能的共働する特に鍛造鋼或いは他の適切な材料から形成された舵ポスト１４０から成り、この舵ポストが、少なくとも一つ軸受１５０によって鍛造鋼或いは他の適切な材料から形成されたトランクパイプ１２０に支持されている。舵ポスト１４０は上舵ブレード部分１０の最大輪郭厚さＰＤの領域に且つこの領域のみに（図１、２、３と１５）、即ち最大輪郭厚さＰＤと縦中心線ＬＭＬ（図５）を構成する線の交点に置かれている。舵ポスト１４０は舵ブレード１００の上舵ブレード部分１０の全高さにわたり固定装置１４５と一緒に延びている。構造の理由のために、舵ポスト１４０を備えるトランクパイプ１２０が最大輪郭厚さＰＤと先ストリップ１１、２１の間の上舵ブレード部分１０に配置され得る。
【００４１】
上舵ブレード部分１０に深く引かれたトランクパイプ１２０が舵ポスト１４０を受ける内部孔１２５を備える片持ちガードとして設けられている（図１４）。トランクパイプ１２０の配列は上舵ブレード部分１０のフレーム４０のトランクパイプの外径に一致して寸法とされた開口１０５へトランクパイプを挿入させる（図３、８、８Ａ，８Ｂ，８Ｃ）ことによって生じる。
【００４２】
トランクパイプ１２０が舵ブレード１００の舵ポスト１４０を受ける中央内部縦孔１２５を備える片持ちガードとして設けられている。さらに、トランクパイプ１２０が上舵ブレード部分１０へのみ舵ポスト端のみと接続された舵ブレードに貫通して構成されている。トランクパイプ１２０が舵ポスト１４０を支持する軸受１５０を内孔１２５に有し、それによりこの軸受１５０が好ましくはトランクパイプ１２０の下端領域１２０ｂ内にある。舵ポスト１４０が１４０ｂによりトランクパイプ１２０の外の部分４５により案内される。舵ポスト１４０の延長部分１４５の自由下端が上舵ブレード部分１０としっかりと連結され、しかしながら、それにより連結部がここに設けられ、例えばプロペラ軸が交換されるべきであるならば、舵ポスト１４０から舵ブレード１００を緩めることができる。ねじれ舵ブレード１００と領域１７０の舵ポスト１４０との連結部がプロペラ軸ＰＤ上に配置されるので、プロペラ軸を分解するために、舵ブレード１００のみが舵ポスト１４０から取り外されなければならないので、トランクパイプの自由下端１２０ｂ並びに舵ポスト１４０の自由下端がプロペラ軸中心上に配置されているから、プロペラ軸交換のためにトランクパイプ１２０から舵ポスト１４０を取り外す必要ない。図１５に示された実施例のために、単一の内部軸受１５０がトランクパイプ１２０において舵ポスト１４０の軸受のために設けられていて、トランクパイプ１２０の外壁における舵ブレード１００の他の軸受が省略され得る。
【００４３】
舵ブレード１００がトランクパイプ１２０の自由下端１２０ｂを受けるテーパ或いは窪みを備えている。
【００４４】
トランクパイプ１２０の横断面が薄い壁を構成され、舵ポスト１４０を支持する自由端の領域において少なくとも一つのネック軸受１３０を有する。追加的軸受が舵ポスト１４０のトランクパイプ１２０の他の位置に設けられている。舵ポスト１４０は部分１４０ａを備える端領域１４０ｂにおいてトランクパイプ１２０の外に案内されていて、この部分１４０ａの端により上舵ブレード部分１０と連結されている（図１４）。
【００４５】
図３と７によると、上舵ブレード部分１０と下舵ブレード部分２０は側壁を形成する舵板、二つの舵ブレードの内部強化を構成する水平ウエブ板或いはフレーム４０、５０と垂直ウエブ板或いはフレームから成る。ウエブ板は軽量化穴と水路穴を備えている。
【００４６】
図３、４、４Ａ，４Ｂと４Ｃと８、８Ａ、８Ｂと８Ｃが舵ブレード１００の上舵ブレード部分１０のすべてのフレーム４０を示すように、このすべてのフレームは同じ構造、同じ側壁ガイドと一致する先ストリップ１１と後ストリップ１５を有し、それによりフレームの長さがそれぞれに上フレームから最低フレームまで減少させ、それでフレームの横断面の寸法が天部から底まで減少させるので、先ストリップ１１が舵ブレード１００の底に対して傾斜している（図１）。
【００４７】
下舵ブレード部分２０のすべてのフレーム５０が同じ構造、同じ側壁ガイドと一致する先ストリップ１１と後ストリップ１５を有し、それによりフレーム５０の長さがそれぞれに上フレームから最低フレームまで減少させ、それでフレームの横断面の寸法が天部から底まで減少させるので、先ストリップ１１が下舵ブレード部分２０の底に対して傾斜している。
【００４８】
この構成の結果として、上舵ブレード部分１０と下舵ブレード部分２０の先ストリップ１１、２１が下方へ傾斜していて、後ストリップ１５が図１に示されるように、直線であり且つ舵ポスト１４０の縦軸線と平行である。
【００４９】
両舵ブレード部分１０、２０は互いに直接に接続され得る。図７と１１には、両舵ブレード部分１０、２０が固定板４５により連結されている。この固定板４５が縦中心線ＬＭＬの両側面に対称的横断面部分４６、４７並びに上舵ブレード部分１０の底板４２と下舵ブレード部分２０のカバー板４１を包含する寸法と輪郭を有し、上舵ブレード部分１０が固定板４５に設定され且つ下舵ブレード部分２０が下から固定板４５に設定されると、この板が非常に小さい縁領域により一緒に設定された舵ブレード部分１０、２０から横方向に突き出す（図１０と１１）。固定板４５が縦中心線ＬＭＬに配置されて、プロペラに向けられた半円縁丸部１１’並びに二つの舵ブレード部分１０、２０の後ストリップ１５へ向くプロペラと反対を向いたストリップ１５’を有する。固定板４５の側壁面４５ａ、４５ｂが一致彎曲コースを有する。
【００５０】
図３と１０が示すように、下舵ブレード部分２０が下領域において固定板４５を継続し、フレーム５０の一部横断面構成とフレーム４０の横断面構成と一致する構造とを有し、しかしながら、フレーム４０が縦中心線ＬＭＬを中心に９０°だけ旋回されている（図４Ｄ，４Ｅ，８Ｄ，８Ｅ，８Ｆ）。
【００５１】
図７、８、８Ａ、８Ｂと８Ｃによると、部分Ａ、Ｂ、ＣとＤのフレーム４０が輪郭に関して同じであり、しかしながら、単一フレーム４０の横断面が天部から底まで減少させるので、後ストリップ１５が傾斜している。固定板４５による部分Ｄが部分Ｃと継続する。下舵ブレード部分２０の部分Ｅ，ＦとＧのフレーム５０がフレーム４０の輪郭と同じ輪郭を有し、しかしながら、フレーム４０の強力にアーチ形に彎曲された側壁部分２９を備える側壁が左舷ＢＢに配置されていて（図８Ｄ、８Ｅと８Ｆ）、図７の実施例の強力にアーチ形に彎曲された側壁部分１９を備えるフレーム４０の側壁が右舷ＳＢに配置されている（図８、８Ａ、８Ｂと８Ｃ）。下舵ブレード部分２０のフレーム５０の横断面がその長さに関して天部から底まで減少させるので、下舵ブレード部分２０の先ストリップ２１が傾斜している（図７）。
【００５２】
図９はトランクチューブ１２０に導入させる開口を備えている上舵ブレード部分１０の上カバー板４３を示す。図１０は両舵ブレード部分１０、２０とフレーム４０と５０を備える舵ブレード１００の下から図を示す。
【００５３】
舵ポスト１４０のトランクパイプ１２０を受ける上舵ブレード部分１０の開口或いは孔の直径は、上舵ブレード部分１０の最大輪郭厚さＰＤより僅かに小さい。この構成のために、非常にするような舵ブレード輪郭が形成される。
【００５４】
二つの舵ブレード部分１０、２０の構成と横断面輪郭は、上下舵ブレード部分１０、２０の平らにアーチ形に彎曲された側壁部分１８、２８が上下舵ブレード部分１０、２０の強力にアーチ形に彎曲された側壁部分１９、２９の長さＬ３より短い長さＬ２、Ｌ’２を有する（図５と６）。縦中心線ＬＭＬに対する上舵ブレード部分１０の側壁部分１８の距離αと側壁部分１９の距離α１が同じである。後ストリップ１５にまで、距離α、α１が常に等しく大きいけれども、その距離が後ストリップ１５の方向において減少させる。先ストリップ１１の方向において、次の距離比を生じる：
α２＜α３  
α４＜α５  
α６＜α７
その後に、最大輪郭厚さＰＤが継続する。先ストリップの方向において、次の距離比を生じる：                  α８＞α９
α１０＞α１１
α１２＞α１３
α１４＞α１５
α１６＞α１７
α１８＞α１９
それにより距離α１６〜α１７の比がおよそ２対１である。図６は、比で距離が互いである、即ちその反対の距離α８、α１０、α１２、α１４、α１６、α１８に対する距離α９、α１１、α１３、α１５、α１７、α１９が先ストリップ１１の方向において著しく減少させる。示された距離を備えるこの横断面輪郭が上舵ブレード部分１０のすべての横断面によって且つ下舵ブレード部分２０のすべての横断面によって延びている、というのは、上舵ブレード部分１０のすべての横断面は、下舵ブレード部分２０の横断面の場合である、即ち舵ブレード１００の横断面或いはフレームが先ストリップに向いた長さと領域に関して天部から底まで先細である事実の状態を考慮することによって同じ構造を有するからである（図１０）。
【００５５】
上下舵ブレード部分１０、２０の強力にアーチ形に彎曲された側壁部分１９、２９の彎曲長さＢＬ１は、図１４による他の実施例によって、上下舵ブレード部分１０、２０の平らにアーチ形に彎曲された側壁部分１８、２８より大きいので、上下舵ブレード部分１０、２０の強力にアーチ形に彎曲された側壁部分１９、２９の遷移領域ＵＢ１が後ストリップ１５に対して直線である側壁部分１７、２７に対して片寄っていて、上下舵ブレード部分１０、２０の平らにアーチ形に彎曲された側壁部分１８、２８の遷移領域ＵＢが後縁１５の方向において後ストリップ１５に対して直線である側壁部分１６、２６に対して片寄って、それで遷移領域ＵＢと反対の遷移領域ＵＢ１が後ストリップ１５に対して向いている。これは、側壁部分１８、１９と２８、２９の長さは次のようである：
Ｌ３≧Ｌ２
Ｌ’２＜Ｌ’３
Ｌ４＞Ｌ’４                  （図１４）
後ストリップ１５に収斂する上舵ブレード部分１０と下舵ブレード部分２０の直線側壁部分１６、１７、２６、２７の脚は、好ましくは同じ長さを有し、しかしながら、不等長さ構成が可能である。
【００５６】
この発明は、ねじれ舵ブレード１００が二つの舵ブレード部分１０、２０にわたり延びるフィンを備えている舵配列から成る。
【００５７】
図１６〜２３が示すように、そらせ板２００、２０１（偏向板）が二つの重なって配列された舵ブレード部分１０、２０の二つの横方向に片寄った部分Ａ１，Ａ２の遷移領域に置かれていて、これらそらせ板が先ストリップ１１、２１の彎曲コースに一致して形成されて、流れ好ましいアーチ形にやや長い或いは半球状輪郭を有し、それにより一方のそらせ板２００が上舵ブレード部分１０の先ストリップ１１からその側壁へ延びていて、他方のそらせ板２０１が下舵ブレード部分２０の先ストリップ２１からその側壁へ延びていて、そらせ板が互いに向いたその縁（２００ｄ、２０１ｄ）により互いに連結されている。
【００５８】
二つのそらせ板２００、２０１が二つの舵ブレード部分１０、２０の片寄り領域の間の遷移領域をカバーする流れ体に完成する。上舵ブレード部分１０並びに下舵ブレード部分２０の両方はそれぞれに一つのベルト状僅かにアーチ形そらせ板２００或いは２０１を有し、このアーチ形案内板が舵ブレードの外壁形状に適していて、二つのそらせ板の各々が先ストリップ１１、２１或いはプロペラ１１５に向いた部分２００ｂ或いは２０１ｂを備えて横たわり、先ストリップの成分、即ち一体成分である。さらに、各そらせ板２００或いは２０１が後ベルト状部分２００ｃ或いは２０１ｃを備えていて、舵の側壁に支持されるか、或いは一体化される（図１７、１８、１９と２０）。二つのそらせ板２００、２０１の部分２００ｂ或いは２０１ｂは先ストリップ１１、２１の領域に配置されていて、先ストリップ１１、２１の前から見ていたときに、およそ半円形構成（図１６と２２）を有するおよそカップ状構成２００ａ，２０１ａを有し、それによりこれらカップ状構成２００ｂ、２０１ｂが先ストリップ１１、２１のように左舷ＢＢと右舷ＳＢに片寄っている（図２２）。
【００５９】
二つのカップ状構成２００ｂ、２０１ｂがそのベース側面と当接する二つの円錐体半部２００’ｂ、２０１’ｂを一緒に形成する（図１６、１７、２０）。それで、上舵ブレード部分１０の左舷側壁、そらせ板２００と下舵ブレード部分２０の右舷配置側壁はそらせ板２０１を有し、それによりそらせ板２００、２０１はそのベルト状とパットタイプ構成部分２００、２０１ｃが舵ブレードの側壁に配置され、その間にプロペラ１１５に向いた部分２００ｂ、２０１ｂが先ストリップ１１、２１の領域に配置されるような形式に配置されている。
【００６０】
二つの先ストリップ１１、２１の領域に配置された部分２００ｂ、２０１ｂが互いに向いた縁２００ｄ、２０１ｄや先ストリップ１１、２１と一緒に溶接される（図２２）。
【００６１】
図２４による実施例のために、半球状に構成される流れ体としてのそらせ板２１０は二つの舵ブレード部分１０、２０の片寄り領域に設けられている。
【００６２】
この発明による舵配列は、請求項に表示された特徴によって、明細書に説明された実施例によって且つ図と図面に表現された実施例によって特徴とされる。二つの舵ブレード部分１０、２０の片寄り領域に置かれるそらせ板２００、２０１並びに２１０は、明細書に記載され且つ図に表現された構成を有し、この発明の主題並びに舵ブレード構成である。
【符号の説明】
【００６３】
１０．．．．．上舵ブレード部分
１１．．．．．先ストリップ
１５．．．．．後ストリップ
２０．．．．．下舵ブレード部分
２１．．．．．先ストリップ
１００．．．．舵ブレード
１１５．．．．プロペラ
１２０．．．．トランクパイプ
１４０．．．．舵ポスト
１４５．．．．固定装置
２００、２０１．．．そらせ板（偏向板）
【図１】
0005175690.tif 000002
【図２】
0005175690.tif 000003
【図３】
0005175690.tif 000004
【図４】
0005175690.tif 000005
【図４Ａ】
0005175690.tif 000006
【図４Ｂ】
0005175690.tif 000007
【図４Ｃ】
0005175690.tif 000008
【図４Ｄ】
0005175690.tif 000009
【図４Ｅ】
0005175690.tif 000010
【図５】
0005175690.tif 000011
【図６】
0005175690.tif 000012
【図７】
0005175690.tif 000013
【図８】
0005175690.tif 000014
【図８Ａ】
0005175690.tif 000015
【図８Ｂ】
0005175690.tif 000016
【図８Ｃ】
0005175690.tif 000017
【図８Ｄ】
0005175690.tif 000018
【図８Ｅ】
0005175690.tif 000019
【図８Ｆ】
0005175690.tif 000020
【図９】
0005175690.tif 000021
【図１０】
0005175690.tif 000022
【図１１】
0005175690.tif 000023
【図１２】
0005175690.tif 000024
【図１３】
0005175690.tif 000025
【図１４】
0005175690.tif 000026
【図１５】
0005175690.tif 000027
【図１６】
0005175690.tif 000028
【図１７】
0005175690.tif 000029
【図１８】
0005175690.tif 000030
【図１９】
0005175690.tif 000031
【図２０】
0005175690.tif 000032
【図２１】
0005175690.tif 000033
【図２２】
0005175690.tif 000034
【図２３】
0005175690.tif 000035
【図２４】
0005175690.tif 000036